(57)【要約】【課題】知的財産権についての実施権のオークションを行うことができるオークション管理装置を提供することを課題とする。【解決手段】入札者は、入札者端末３を操作して、特許権の実施権に対する複数の入札条件が記録された入札情報を送信する。オークション管理サーバ１は、入札条件を入札者のＩＤに対応付けてオークションＤＢ１２３に登録する。オークション期間終了後、オークション管理サーバ１は、出品者が操作する出品者端末２の指示に応じて、各入札者が支払うライセンス料をオークションＤＢ１２３に登録された入札条件に基づいて計算する。出品者は、出品者端末２のモニタに表示されるシミュレーション結果を参照して、落札者を決定する。【選択図】図８
2011186931.tif 000002
【特許請求の範囲】
【請求項１】
知的財産権に関するオークションを管理するオークション管理装置であって、
知的財産権についての実施権をオークションに出す出品者が操作する出品者端末と、前記実施権の落札を希望する入札者が操作する入札者端末とに接続されており、
前記オークション管理装置は、
前記実施権をオークションに出すことを示す出品情報を前記出品者端末から受信して記憶するデータベースと、
前記入札者端末からの要求に応じて前記出品情報を前記入札者端末に送信し、前記実施権に対する複数の入札条件が記録された入札情報を前記入札者端末から受信した場合、前記入札情報を前記入札者に対応する識別情報に対応付けて前記データベースに登録する入札管理部と、
前記入札者が前記実施権を落札した場合に前記出品者に支払うライセンス料を、前記入札情報に基づいて計算し、計算結果を前記出品者端末に送信するシミュレーション部と、
を備えるオークション管理装置。
【請求項２】
請求項１に記載のオークション管理装置において、
前記シミュレーション部は、前記ライセンス料のうち、前記入札者が前記出品者に毎年支払う実施料を前記入札情報に基づいて計算し、実施料を累積した累積額を計算結果として前記出品者端末に送信するオークション管理装置。
【請求項３】
請求項２に記載のオークション管理装置において、
前記シミュレーション部は、第１入札者及び第２入札者に対して同時に実施権を設定した場合におけるライセンス料の合計額の計算を前記出品者端末から指示された場合、前記第１入札者に対する第１ライセンス料と前記第２入札者に対応する第２ライセンス料とを算出し、算出した前記第１ライセンス料と前記第２ライセンス料との合計額を計算結果として前記出品者端末に送信するオークション管理装置。
【請求項４】
請求項３に記載のオークション管理装置において、さらに、
前記ライセンス料の合計額の計算を前記出品者端末から指示された場合、前記第１入札者及び前記第２入札者に対して同時に実施権を設定できるか否かを前記入札情報に基づいて判定する判定部、
を備え、
前記シミュレーション部は、前記第１入札者と前記第２入札者とに対して同時に実施権を設定可能と判定された場合、前記合計額を計算するオークション管理装置。
【請求項５】
請求項１に記載のオークション管理装置において、さらに、
第１入札者及び第２入札者が前記実施権の落札者として指定された場合、前記第１入札者及び前記第２入札者に対して同時に実施権を設定できるか否かを、前記入札情報に基づいて判定する判定部、
を備えるオークション管理装置。
【請求項６】
請求項５に記載のオークション管理装置において、
前記判定部は、前記第１入札者及び前記第２入札者に対して同時に実施権を設定できないと判定した場合、落札者の再指定を前記出品者端末に要求するオークション管理装置。
【請求項７】
請求項１に記載のオークション管理装置において、
第１入札者に対応する第１入札情報には、前記知的財産権に基づく専用実施権の設定を要求することが入札条件として記録され、
第２入札者に対応する第２入札情報には、前記知的財産権に基づく通常実施権の設定を要求することが入札条件として記録され、
前記オークション管理装置は、さらに、
落札者として前記第１入札者が指定されている場合、第１入札者に設定される専用実施権に基づいて前記第２入札者に対して通常実施権を許諾するか否かを確認するための再許諾確認情報を、落札結果とともに前記第１入札者が操作する第１入札者端末に送信する落札結果通知部、
を備えるオークション管理装置。
【請求項８】
請求項７に記載のオークション管理装置において、
前記出品情報は、
前記知的財産権について専用実施権が設定された場合、前記専用実施権についての通常実施権の許諾を認めるか否かを設定した情報、
を含み、
前記落札結果通知部は、前記出品情報に基づいて専用実施権についての通常実施権の許諾が認められていると判定した場合、前記再許諾確認情報を、前記第１入札者端末に送信するオークション管理装置。
【請求項９】
請求項７または請求項８に記載のオークション管理装置において、
前記落札結果通知部は、前記第１入札者に対して通常実施権を許諾する旨の再許諾通知を前記第１入札者端末から受信した場合、前記再許諾通知を前記出品者端末に転送するオークション管理装置。
【発明の詳細な説明】
【技術分野】
【０００１】
本発明は、知的財産権についてのオークションを管理するオークション管理装置に関する。
【背景技術】
【０００２】
インターネットのポータルサイトなどでは、インターネットオークションが行われている。インターネットオークションで出品される物は、コンピュータゲームのソフトウェアや、家電製品など様々である。
【０００３】
インターネットオークションでは、出品者は、出品物に関する情報をインターネットオークションを管理するサーバに登録する。入札者は、サーバにアクセスし、出品物に関する情報を閲覧する。入札者は、購入したい出品物があれば、出品物に対する購入希望価格をサーバに登録して入札を行う。一番高い購入希望価格を登録した入札者が、出品物を購入することができる落札者として決定される。
【先行技術文献】
【特許文献】
【０００４】
【特許文献１】特開２００４−７８５２５公報
【発明の概要】
【発明が解決しようとする課題】
【０００５】
上述のように、インターネットオークションに出品できるものは、様々である。特許権などの知的財産権も、オークション方式で取引することが考えられている。
【０００６】
上記特許文献１には、特許権の売買をオークション方式で行う知的財産権売買システムが開示されている。上記特許文献１に係る知的財産権売買システムでは、一番高い譲渡希望価格を入札した入札者が、出品された特許権を買い取ることができる。しかし、特許権の実施権（専用実施権、通常実施権）をオークションの対象とした知的財産権についてのオークションは存在しなかった。
【０００７】
そこで、本発明は、前記問題点に鑑み、知的財産権についての実施権のオークションを行うことができるオークション管理装置を提供することを目的とする。
【課題を解決するための手段】
【０００８】
上記課題を解決するため、請求項１記載の発明は、知的財産権に関するオークションを管理するオークション管理装置であって、知的財産権についての実施権をオークションに出す出品者が操作する出品者端末と、前記実施権の落札を希望する入札者が操作する入札者端末とに接続されており、前記オークション管理装置は、前記実施権をオークションに出すことを示す出品情報を前記出品者端末から受信して記憶するデータベースと、前記入札者端末からの要求に応じて前記出品情報を前記入札者端末に送信し、前記実施権に対する複数の入札条件が記録された入札情報を前記入札者端末から受信した場合、前記入札情報を前記入札者に対応する識別情報に対応付けて前記データベースに登録する入札管理部と、前記入札者が前記実施権を落札した場合に前記出品者に支払うライセンス料を、前記入札情報に基づいて計算し、計算結果を前記出品者端末に送信するシミュレーション部と、を備える。
【０００９】
請求項２記載の発明は、請求項１に記載のオークション管理装置において、前記シミュレーション部は、前記ライセンス料のうち、前記入札者が前記出品者に毎年支払う実施料を前記入札情報に基づいて計算し、実施料を累積した累積額を計算結果として前記出品者端末に送信する。
【００１０】
請求項３記載の発明は、請求項２に記載のオークション管理装置において、前記シミュレーション部は、第１入札者及び第２入札者に対して同時に実施権を設定した場合におけるライセンス料の合計額の計算を前記出品者端末から指示された場合、前記第１入札者に対する第１ライセンス料と前記第２入札者に対応する第２ライセンス料とを算出し、算出した前記第１ライセンス料と前記第２ライセンス料との合計額を計算結果として前記出品者端末に送信する。
【００１１】
請求項４記載の発明は、請求項３に記載のオークション管理装置において、さらに、前記ライセンス料の合計額の計算を前記出品者端末から指示された場合、前記第１入札者及び前記第２入札者に対して同時に実施権を設定できるか否かを前記入札情報に基づいて判定する判定部、を備え、前記シミュレーション部は、前記第１入札者と前記第２入札者とに対して同時に実施権を設定可能と判定された場合、前記合計額を計算する。
【００１２】
請求項５記載の発明は、請求項１に記載のオークション管理装置において、さらに、第１入札者及び第２入札者が前記実施権の落札者として指定された場合、前記第１入札者及び前記第２入札者に対して同時に実施権を設定できるか否かを、前記入札情報に基づいて判定する判定部、を備える。
【００１３】
請求項６記載の発明は、請求項５に記載のオークション管理装置において、前記判定部は、前記第１入札者及び前記第２入札者に対して同時に実施権を設定できないと判定した場合、落札者の再指定を前記出品者端末に要求する。
【００１４】
請求項７記載の発明は、請求項１に記載のオークション管理装置において、第１入札者に対応する第１入札情報には、前記知的財産権に基づく専用実施権の設定を要求することが入札条件として記録され、第２入札者に対応する第２入札情報には、前記知的財産権に基づく通常実施権の設定を要求することが入札条件として記録され、前記オークション管理装置は、さらに、落札者として前記第１入札者が指定されている場合、第１入札者に設定される専用実施権に基づいて前記第２入札者に対して通常実施権を許諾するか否かを確認するための再許諾確認情報を、落札結果とともに前記第１入札者が操作する第１入札者端末に送信する落札結果通知部、を備える。
【００１５】
請求項８記載の発明は、請求項７に記載のオークション管理装置において、前記出品情報は、前記知的財産権について専用実施権が設定された場合、前記専用実施権についての通常実施権の許諾を認めるか否かを設定した情報、を含み、前記落札結果通知部は、前記出品情報に基づいて専用実施権についての通常実施権の許諾が認められていると判定した場合、前記再許諾確認情報を、前記第１入札者端末に送信する。
【００１６】
請求項９記載の発明は、請求項７または請求項８に記載のオークション管理装置において、前記落札結果通知部は、前記第１入札者に対して通常実施権を許諾する旨の再許諾通知を前記第１入札者端末から受信した場合、前記再許諾通知を前記出品者端末に転送する。
【発明の効果】
【００１７】
オークション管理装置は、入札者が支払うライセンス料を入札情報に基づいてシミュレーションする。出品者は、ライセンス料のシミュレーション結果に基づいて落札者を決定する。出品者は、入札者が提示した入札条件を直接比較する必要がないため、容易に落札者を決定することができる。
【図面の簡単な説明】
【００１８】
【図１】本実施の形態に係るオークションシステムの構成を示す図である。
【図２】特許権についての実施権のオークションの流れを示すシーケンス図である。
【図３】出品者端末に表示される出品登録ページを示す図である。
【図４】オークションＤＢをテーブルの形式で示す図である。
【図５】入札者端末に表示される入札ページを示す図である。
【図６】入札条件ＤＢをテーブルの形式で示す図である。
【図７】特許権についての実施権のオークションの流れを示すシーケンス図である。
【図８】出品者端末に表示される落札者決定ページを示す図である。
【図９】ライセンス料の計算結果を示すグラフである。
【図１０】ライセンス料の計算結果を示すグラフである。
【図１１】再許諾の流れを示すシーケンス図である。
【図１２】落札者が操作する端末に表示される再許諾設定ページを示す図である。
【発明を実施するための形態】
【００１９】
以下、図面を参照しつつ本発明の実施の形態について説明する。
【００２０】
｛１．オークションシステムの構成｝
図１は、本実施の形態に係るオークションシステム１００の構成を示す図である。図１に示すように、オークションシステム１００は、インターネットを介して相互に接続されるオークション管理サーバ１と、出品者端末２と、入札者端末３，３，・・・とを備える。オークションシステム１００は、特許権などの知的財産権の実施権のオークション（知財ネットオークション）を、インターネットを介して行うシステムである。
【００２１】
オークション管理サーバ１は、オークションを主催する管理者により設置され、オークション用のＷＥＢページを出品者端末２及び入札者端末３に送信するＷＥＢサーバとして機能する。オークション管理サーバ１は、オークションにかけられた特許権の実施権に対する入札の管理や、落札者の決定の通知などのオークションに関する処理を実行する。
【００２２】
出品者端末２は、特許権者が操作するＰＣ（Ｐｅｒｓｏｎａｌ  Ｃｏｍｐｕｔｅｒ）である。特許権者は、特許権についての実施権をオークション対象として出品するために、特許権に関する情報をオークション管理サーバ１に登録する。特許権者は、後述するように、オークション期間が終了した後に、出品者端末２を操作して、各入札者が入札した入札条件のシミュレーションを行う。
【００２３】
入札者端末３，３，・・・は、実施権の設定を希望する入札者が操作するＰＣである。入札者は、入札者端末３を操作して、実施権の対象となる特許権に関する情報の閲覧、あるいは、オークション管理サーバ１に対する入札条件の登録などを行う。
【００２４】
特許権者は、自身が保有する特許権の実施権として、専用実施権又は通常実施権を設定することができる。専用実施権は、特許権に係る特許発明を、設定された範囲内で独占的に実施することができる権利である。このため、特許権者は、同一内容の専用実施権を、複数人に同時に設定することはできない。通常実施権は、特許発明を実施することができる権利である。特許権者は、同一の設定範囲内で、複数人に通常実施権を許諾することができる。
【００２５】
特許権者が、実施権の許諾を受ける人と実施権の設定契約を結ぶ場合、特許発明を実施する実施地域、手付金の額、ロイヤリティなどの条件を予め決めておく必要がある。このため、入札者は、実施権の入札を行う時に、実施権の種別、実施地域、手付金、ロイヤリティなどの各項目を指定した入札条件を提示する。オークション管理サーバ１は、各入札者が提示した入札条件に基づいて、各入札者が支払うライセンス料のシミュレーションを行う。これにより、特許権者は、どの入札者が提示した入札条件が自身に一番有利であるかを容易に判定することができる。
【００２６】
本実施の形態では、特許権についての専用実施権及び通常実施権のオークションを例に説明する。しかし、実用新案権、意匠権についての実施権や、商標権についての使用権などのオークションを行う場合にも、オークションシステム１００を利用することが可能である。
【００２７】
｛２．オークション管理サーバ１の構成｝
オークション管理サーバ１は、制御部１１と、データベース１２と、入札受付部１３と、落札結果通知部１４と、シミュレーション部１５と、判定部１６と、通信部１７とを備える。制御部１１は、ＣＰＵ及びＲＡＭなどを備え、オークション管理サーバ１の全体制御を行う。
【００２８】
データベース１２は、実施権のオークションに出品者または入札者として参加する参加者の情報や、実施権の設定対象となる特許権に関する情報などを記憶する。データベース１２は、登録者ＤＢ（データベース）１２１と、特許権ＤＢ１２２と、オークションＤＢ１２３と、入札条件ＤＢ１２４とを備える。
【００２９】
登録者ＤＢ１２１は、オークションシステム１００で行われるオークションの参加者の登録情報を管理するためのデータベースである。特許権ＤＢ１２２は、実施権の設定対象となる特許権に関する情報を登録するためのデータベースである。オークションＤＢ１２３は、オークションに関する情報が登録されるデータベースである。具体的には、オークションＤＢ１２３には、出品者が指定したオークション期間などが登録される。入札条件ＤＢ１２４は、オークションにかけられた実施権に対する入札条件が登録されるデータベースである。
【００３０】
入札受付部１３は、実施権に対する入札が行われた場合、入札者が提示した入札条件を入札条件ＤＢ１２４に登録する。落札結果通知部１４は、出品者端末２からの指示に応じて、落札結果を入札者端末３，３，・・・に送信する。
【００３１】
シミュレーション部１５は、出品者端末２からの要求に応じて、各入札者と実施権の設定に関する契約を結んだ場合におけるライセンス料を計算する。判定部１６は、複数の入札者に対して同時に実施権を設定することができるか否かを判定する。通信部１７は、ＴＣＰ／ＩＰなどのプロトコルを用いて、出品者端末２及び入札者端末３との通信を行う。
【００３２】
｛３．オークションの流れ｝
図２は、オークションシステム１００で行われるオークションの流れを示すシーケンス図である。以下、図２を用いて、実施権のオークションの流れについて説明する。
【００３３】
｛３．１．参加登録（ステップＳ１）｝
オークションに参加する参加者（出品者及び入札者）は、オークション管理サーバ１に対してオークションの参加登録を行う（ステップＳ１）。
【００３４】
具体的には、出品者端末２及び入札者端末３は、参加者が入力した参加登録情報を、オークション管理サーバ１に送信する（ステップＳ１）。参加登録情報は、氏名（法人の場合は法人名）、住所、電話番号、メールアドレス、参加者ＩＤ及びパスワードなどを含む。オークション管理サーバ１は、参加登録要求を受信した場合、受信した情報を登録者ＤＢ１２１に登録する。
【００３５】
オークション管理サーバ１は、参加者の本人確認を行うために、参加者の身元を証明することができるデータの送信を要求してもよい。たとえば、個人が参加登録を行ったのであれば、オークション管理サーバ１は、保険証または免許証などの画像データの送信を要求してもよい。法人が参加登録を行ったのであれば、オークション管理サーバ１は、会社の登記簿謄本などの画像データの添付を要求してもよい。
【００３６】
｛３．２．出品登録（ステップＳ２）｝
オークション管理サーバ１に参加登録をした参加者は、自身が保有する特許権の実施権をオークションに出すことができる。特許権を保有する参加者は、特許権の実施権をオークションに出すために、出品登録を行う。以下、特許権を保有する参加者が出品者となる。
【００３７】
図３は、出品登録ページ４１を示す図である。出品者は、オークション管理サーバ１にログインし、出品登録ページ４１の表示を要求する（ステップＳ２１）。オークション管理サーバ１は、出品者端末２の要求に応じて、出品登録ページ４１を出品者端末２に送信する（ステップＳ２２）。これにより、図３に示す出品登録ページ４１が、出品者端末２のモニタに表示される。
【００３８】
出品者は、特許権情報入力欄４１ａに、オークションに出す実施権の設定対象となる特許権に関する情報として、特許番号、発明の名称、発明の概要などを入力する。
【００３９】
初期条件入力欄４１ｂには、入札条件として入札者が提示することができる各項目の最低限の条件が入力される。入札対象は、入札することができる実施権の種別を示す。出品者は、専用実施権及び通常実施権の両方にチェックを入れることにより、専用実施権及び通常実施権を入札対象とすることができる。出品者は、専用実施権のみを入札対象としたい場合、専用実施権だけにチェックをいれればよい。
【００４０】
手付金は、落札者が実施権の契約を出品者と結んだときに、出品者に支払う一時金である。ロイヤリティは、特許権の実施料の算出に用いられるパラメータである。特許発明を使用した製品の販売価格にロイヤリティを乗じた額が、その製品における特許権の実施料となる。設定期間は、出品者が実施権を設定する期間を示す。オークション期間は、実施権に対する入札を受け付ける期間である。
【００４１】
再許諾設定欄４１ｃでは、出品者は、落札者が専用実施権の設定を入札条件として提示していた場合に、落札者が専用実施権についての通常実施権を許諾すること（以下、「再許諾」という）を認めるか否かを設定する。出品者は、再許諾を認める場合、「認める」にチェックを入れる。
【００４２】
出品者が出品登録ボタン４１ｄをクリックすることにより、登録ページ４１に入力された情報が、出品情報としてオークション管理サーバ１に送信される（ステップＳ２３）。オークション管理サーバ１は、出品情報を、特許権ＤＢ１２２及びオークションＤＢに登録する（ステップＳ２４）。オークションＤＢ１２３には、オークションに関する情報が登録される。
【００４３】
図４は、オークションＤＢ１２３をテーブルの形式で示す図である。オークションＩＤは、オークション管理サーバ１が出品情報を受信するたびに生成する固有の番号である。オークションに関する情報は、オークションＩＤに対応付けられる。出品者ＩＤは、出品登録を行った出品者のログインＩＤである。特許番号は、実施権の設定対象となる特許権の特許番号である。手付金及びロイヤリティには、出品登録ページ４１に入力された数値が登録される。
【００４４】
入札対象Ａ及び入札対象Ｂは、オークションの対象となる実施権の種別を示す。入札対象Ａ及び入札対象Ｂにおいて、「専用」、「通常」は、専用実施権、通常実施権をそれぞれ示す。専用実施権及び通常実施権の両方がオークションに出されている場合、入札対象Ａ及び入札対象Ｂに「専用」及び「通常」が登録される。入札対象Ａに「専用」が登録され、かつ入札対象Ｂが空欄である場合、専用実施権のみがオークションに出されていることを示す。
【００４５】
設定期間は、実施権に対する入札が可能な期間である。再許諾には、出品者が再許諾を認めるか否かを示す情報が設定される。入札期間は、出品者が指定したオークションの期間である。落札者ＩＤは、実施権を落札した入札者のログインＩＤを示す。落札者が決定していない場合、落札者ＩＤは空欄である。
【００４６】
オークション管理サーバ１は、出品情報のうち、特許権に関する情報を特許権ＤＢ１２２に登録する（ステップＳ２４）。特許権ＤＢ１２２では、オークションＩＤと、特許権情報入力欄４１ａ（図３参照）に入力された情報とが対応付けて保存される。
【００４７】
オークション管理サーバ１は、生成したオークションＩＤに対応する入札条件ＤＢ１２４を新たに作成する。入札条件ＤＢ１２４の詳細は後述する。
【００４８】
｛３．３．入札管理処理（ステップＳ３）｝
以下、オークションＤＢ１２３（図４参照）の最上段に登録されたオークションＩＤ「ＬＡ２４２Ｃ」に基づいて行われるオークションを例に説明する。
【００４９】
入札期間が始まると、入札受付部１３は、オークションＩＤ「ＬＡ２４２Ｃ」に対応する実施権のオークションを開始したことを示すオークション開始通知を、電子メールなどを用いて入札者端末３に通知する（ステップＳ３１）。これにより、参加者は、実施権のオークションが行われていることを知ることができる。オークション通知には、入札期間や、実施権の設定対象となる特許権の概要などの情報が含まれる。図２では、１個の入札者端末３のみを示しているが、実際には、登録者ＤＢ１２１に登録された全ての参加者に対して、オークション開始通知が送信される。
【００５０】
入札を希望する参加者（入札者）は、入札者端末３を操作して、オークション管理サーバ１にログインする。図２に示していないが、入札者端末３は、オークション中の実施権のリストを、オークション管理サーバ１から取得してモニタに表示する。入札者が入札を希望する実施権をリストから選択することにより、入札ページの表示要求が、入札者端末３からオークション管理サーバ１に送信される（ステップＳ３２）。入札受付部１３は、入札ページの表示要求に応じて、入札ページを入札者端末３に送信する（ステップＳ３３）。
【００５１】
図５は、入札者端末３に表示される入札ページ４２を示す図である。入札者は、実施権に対する入札条件を入札ページ４２に入力する。図５に示すように、入札者は、特許権表示欄４２ａに表示される特許番号や、発明の名称などを参照して、落札を希望する実施権に対応する入札ページ４２が表示されているか否かを確認する。入札者は、特許権表示欄４２ａに表示された特許番号に基づいて、特許掲載公報を入手して発明の内容を詳細に調べることができる。
【００５２】
初期条件表示欄４２ｂには、出品者が指定した入札の初期条件が、オークションＤＢ１２３に基づいて表示される。入札状況表示欄４２ｃには、入札可能期間や、既に入札を行った入札者の数が表示される。入札者は、初期条件表示欄４２ｂ及び入札状況表示欄４２ｃに表示された情報に基づいて、出品者に提示する入札条件を決定することができる。
【００５３】
入札者は、提示する入札条件を入札条件設定欄４２ｄに入力する。具体的には、入札者は、取得を希望する実施権として、専用実施権及び通常実施権のいずれかを選択する。実施地域には、入札者が実施権の設定を希望する地域（特許発明の実施を行う地域）が入力される。手付金には、入札者が特許権者と実施権の設定契約を結んだ時に支払う一時金の額が入力される。販売予定価格には、特許発明を使用した製品の１個当たりの販売価格が入力される。ロイヤリティには、特許発明を使用した製品１個当たりの実施料を決めるために、上記の販売額に乗じるパラメータが入力される。販売予定個数には、１年間に販売することができる製品の個数が入力される。
【００５４】
入札者は、提示する入札条件を入札条件設定欄４２ｄに入力した後に、入札ボタン４２ｅをクリックする。入札者端末３は、入札者に対応するログインＩＤと、入札条件設定欄４２ｄに入力された情報とを、入札情報としてオークション管理サーバ１に送信する（ステップＳ３５）。入札受付部１３は、オークション管理サーバ１が受信した入札情報を、入札条件ＤＢ１２４に登録する（ステップＳ３６）。これにより、入札者は、オークションＩＤ「ＬＡ２４２Ｃ」に対応する実施権に入札したことになる。
【００５５】
図６は、入札条件ＤＢ１２４をテーブルの形式で示す図である。上述したように、入札条件ＤＢ１２４は、オークションＤＢ１２３に登録されたオークションＩＤごとに作成される。
【００５６】
入札者ＩＤには、入札情報に含まれるログインＩＤが記録される。入札者氏名は、入札者ＩＤに対応する入札者の氏名であり、登録者ＤＢ１２１に基づいて記録される。取得希望権利には、入札者が選択した実施権が記録される。実施地域、手付金、ロイヤリティ、販売予定価格、及び販売予定個数は、入札ページ４２（図５参照）の入札条件設定欄４２ｄに表示される各項目に対応する。
【００５７】
オークション管理サーバ１は、入札情報を受信するたびに（ステップＳ３５）、入札情報を入札条件ＤＢ１２４に登録する（ステップＳ３６）。
【００５８】
入札受付部１３は、オークションＤＢ１２３（図４参照）に登録された入札期間を経過した場合、オークション終了通知を出品者端末２に送信する（ステップＳ３７）。入札受付部１３は、入札期間の終了後に入札ページ表示要求（ステップＳ３２）を受信した場合、入札ページ４２に代えて、オークションが終了したことを示すメッセージを入札者端末３に送信する。
【００５９】
入札者は、実施権に対する入札を行った後に、入札条件を変更してもよい。具体的には、入札者は、入札した実施権に対応する入札ページ４２を再び入札者端末３のモニタに表示させる。このとき、入札条件設定欄４２ｄには、前回入力した入札条件が表示される。入札者は、入札条件設定欄４２ｄに表示される入札条件を変更し、入札ボタン４２ｅをクリックする。入札受付部１３は、受信した入札情報に含まれるログインＩＤと入札条件ＤＢ１２４に登録された入札者ＩＤとが一致する場合、新たに受信した入札情報に基づいて入札条件ＤＢ１２４を更新する。これにより、入札条件が変更される。
【００６０】
｛３．４．ライセンス料のシミュレーション（ステップＳ４）｝
以下、実施権のオークションの終了後に出品者が行うライセンス料のシミュレーションについて、図７を用いて説明する。図７は、入札期間が終了した後のオークションの流れを示すシーケンス図である。
【００６１】
出品者は、オークション終了通知（ステップＳ３７）を受信した後に、各入札者が提示した入札条件に基づいてライセンス料のシミュレーションを行う。出品者は、シミュレーションの結果に基づいて、落札者を決定することができる。ライセンス料は、特許権者に支払われる手付金及び実施料を指す。以下、シミュレーションの内容について詳しく説明する。
【００６２】
出品者端末２は、出品者の操作に応じて、落札者決定ページの送信を要求する（ステップＳ４１）。オークション管理サーバ１は、出品者端末２の要求に応じて、落札者決定ページを出品者端末２に送信する（ステップＳ４２）。これにより、落札者決定ページが、出品者端末２のモニタに表示される。
【００６３】
図８は、出品者端末２のモニタに表示される落札者決定ページ４３を示す図である。落札者決定ページ４３において、入札対象表示欄４３ａは、出品者がオークションＤＢ１２３に登録した特許権の特許番号及び発明の名称を表示する。
【００６４】
入札者リスト表示欄４３ｂには、オークションに出された実施権に対して入札した入札者のリスト(入札者リスト)が表示される。入札者リストは、入札条件ＤＢ１２４に基づいて作成される。入札者リストにおいて、入札者、実施権、設定地域、手付金、ロイヤリティ、販売予定価格、及び年間販売予定数は、入札条件ＤＢ１２４に登録されている各項目の情報に対応する。図８に示すように、４人の入札者が、「特許番号ｘｘｘｘ号」に係る特許権についての実施権に対して入札を行ったことがわかる。
【００６５】
「計算」の欄には、各入札者に対応するチェックボックスが設けられている。「計算」のチェックボックスは、ライセンス料のシミュレーションを行うか否かを指示するために用いられる。「合算」の欄には、「計算」の欄と同様に、各入札者に対応するチェックボックスが設けられている。合算の欄は、複数の入札者のライセンス料の合計額をシミュレーションするときに用いられる。
【００６６】
シミュレーション結果欄４３ｃには、各入札者のライセンス料の計算結果が表示される。落札結果入力欄４３ｄは、出品者が落札結果をオークション管理サーバ１に送信するときに用いられる。シミュレーション結果欄４３ｃ及び落札結果入力欄４３ｄの詳細は、後述する。
【００６７】
全ての入札者のライセンス料のシミュレーションを行う方法について説明する。出品者は、入札者Ａ〜Ｄのそれぞれに対応する「計算」のチェックボックスにチェックを入れる。出品者がシミュレーション開始ボタン４３ｅをクリックすることにより、出品者端末２は、入札者Ａ〜Ｄのライセンス料のシミュレーションの開始を、オークション管理サーバ１に要求する（ステップＳ４３）。
【００６８】
シミュレーション部１５は、シミュレーションの開始要求（ステップＳ４３）に応じて、入札者Ａ〜Ｄがそれぞれ提示した入札条件に基づいて、ライセンス料を計算する（ステップＳ４４）。
【００６９】
シミュレーション部１５は、入札条件ＤＢ１２４に基づいて、実施権の設定期間（５年）内に各入札者が出品者に支払うと予測されるライセンス料を計算する。シミュレーション部１５は、各入札者が実施権の設定期間内に毎年支払う実施料を、ロイヤリティと、販売予定価格と、販売予定個数とを乗算することによって計算する。たとえば、入札者Ａが１年当たりに支払う実施料の額は、０．０５（ロイヤリティ）×３００（販売予定価格）×２０，０００（販売予定個数）＝３００，０００（円）となる。シミュレーション部１５は、手付金と、実施権の設定期間内の各年分の実施料を累積し、累積額と手付金との合計額をライセンス料として算出する。これにより、契約時、契約から１年目までのライセンス料、・・・、契約から５年目までのライセンス料が計算される。
【００７０】
シミュレーション部１５は、ライセンス料の計算結果を出品者端末２に通知する（ステップＳ４５）。出品者端末２は、入札者ごとのライセンス料をグラフの形式でシミュレーション結果欄４３ｃに表示する。
【００７１】
図９は、入札者Ａ〜Ｄのライセンス料の計算結果を示すグラフである。図９では、契約から各年までのライセンス料を入札者ごとに示している。図９に示すグラフは、シミュレーション結果欄４３ｃに表示される。図９に示すように、契約から３年目までは、手付金のみを支払う入札者Ｄのライセンス料が一番高くなっている。したがって、出品者は、確実にライセンス料を得たい場合には、入札者Ｄに実施権を設定すればよいことがわかる。一方、契約から４年目、５年目では、入札者Ａの支払うライセンス料が、入札者Ａ〜Ｄの中で一番高額になっていることがわかる。したがって、高額のライセンス料を得たい場合、入札者Ａに実施権を許諾すればよいことがわかる。
【００７２】
このように、出品者は、複数の入札条件の設定が必要なオークションであっても、入札条件に応じたライセンス料を容易に確認することができるため、落札者を容易に決定することができる。入札者が特許発明を実施する期間に応じたライセンス料がシミュレーション結果欄４３ｃに表示されるため、出品者は、ライセンス料の変化を容易に確認することができる。
【００７３】
次に、ライセンス料のシミュレーションにおいて、複数の入札者のライセンス料を合算する場合を説明する。図８に示すように、入札者Ｂ、Ｃが入札条件として通常実施権を指定しているので、出品者は、入札者Ｂ、Ｃに同時に通常実施権を許諾することが可能である。このような場合、入札者Ｂ，Ｃのライセンス料を合算した額をオークション管理サーバ１に計算させることにより、出品者は、入札者Ｂ，Ｃの両者を落札者とした場合におけるライセンス料を確認することができる。
【００７４】
具体的には、出品者は、入札者Ｂ，Ｃに対応する「合算」のチェックボックスにチェックして、シミュレーション開始を指示する。出品者端末２は、入札者Ａ，Ｄのそれぞれのライセンス料と、入札者Ｂ，Ｃのライセンス料の合計額とのシミュレーションの開始を要求する（ステップＳ４３、図７参照）。
【００７５】
入札者Ｂ，Ｃのライセンス料の合計額のシミュレーションが指示されたため、オークション管理サーバ１の判定部１６が、入札者Ｂ，Ｃの両者を落札者とすることができるかどうかを判定する。
【００７６】
判定部１６は、入札者Ｂ，Ｃの両者が通常実施権の設定を要求しているため、入札者Ｂ，Ｃの両者を落札者とすることができると判定する。判定部１６の判定結果に基づいて、シミュレーション部１５は、入札者Ａ，Ｄのそれぞれのライセンス料と、入札者Ｂ，Ｃのライセンス料の合計額とのシミュレーションを開始する。
【００７７】
図１０は、入札者Ｂ，Ｃのライセンス料を合算した場合における、ライセンス料の変化を示すグラフである。図１０に示すグラフは、図９に示すグラフと同様に、シミュレーション結果欄４３ｃに表示される。
【００７８】
図１０に示すグラフでは、入札者Ｂ，Ｃのライセンス料が合算されて表示されている。契約から１年目までは、手付金のみを支払う入札者Ｄのライセンス料が一番高くなっている。しかし、２年目からは、入札者Ｂ，Ｃの両者に通常実施権を許諾した場合のライセンス料が最大となる。このように、出品者が複数の入札者に対して実施権を落札させる場合にも、ライセンス料のシミュレーションを行うことが可能となる。
【００７９】
ライセンス料の合算対象となる複数の入札者に対して、同時に実施権を設定できないことがある。たとえば、入札者Ａ，Ｂのライセンス料の合計額のシミュレーションが指示された場合を考える。図８に示すように、入札者Ａが実施地域を全国とした専用実施権の設定を要求している。入札者Ｂが実施地域を北海道、東北、関東、中部とした通常実施権の許諾を要求している。この場合、判定部１６は、入札者Ａに対する専用実施権の設定と、入札者Ｂに対する通常実施権の許諾とを同時に行うことができないと判定する。シミュレーション部１５は、入札者Ａ，Ｂの両者を落札者とすることができないため、シミュレーションを行わないことを出品者端末２に送信する。
【００８０】
｛３・５．落札処理（ステップＳ５）｝
以下、出品者が落札者を決定してから落札結果が入札者端末３に送信されるまでの落札処理の流れを説明する。最初に、出品者が、通常実施権を入札条件として提示した入札者Ｂ，Ｃを落札者として決定したケースを説明する。
【００８１】
出品者は、シミュレーション結果を参照して、入札者Ａ〜Ｄの中から落札者を決定する。出品者は、落札結果入力欄４３ｄに設けられた４個のチェックボックスのうち、落札者として決定した入札者Ｂ，Ｃに対応するチェックボックスにチェックを入れる。落札者決定ボタン４３ｆ（図８参照）がクリックされることにより、出品者端末２は、入札者Ｂ，Ｃの氏名を落札者決定通知として、オークション管理装置１に送信する（ステップＳ５１）。
【００８２】
判定部１６は、落札者決定通知により通知された入札者Ｂ，Ｃに対して同時に実施権を設定することができるか否かを判定する。入札者Ｂ，Ｃが通常実施権を入札条件として提示しているため、判定部１６は、入札者Ｂ，Ｃの両者を落札者とすることができると判定する。
【００８３】
落札者決定通知により通知された入札者に対して、同時に実施権を設定できない場合、判定部１６は、落札者の決定のやり直しを出品者端末２に通知する。たとえば、入札者Ａ，Ｄが落札者として出品者端末２から通知された場合、判定部１６は、入札者Ａ，Ｄに対して同時に専用実施権を実施できないと判定する。
【００８４】
入札者Ｂ，Ｃに対して同時に通常実施権を許諾することができるため、落札結果通知部１４は、入札条件ＤＢ１２４に登録された全ての入札者に落札結果を通知する（ステップＳ５２）。入札者Ａ，Ｄの入札者端末３には、実施権を落札できなかったことが通知される。落札結果通知部１４は、実施権を落札できたことを落札者（入札者Ｂ，Ｃ）の入札者端末３に通知する。出品者と入札者Ｂ，Ｃとの間で、入札条件に基づく実施契約が結ばれることにより、落札者に対して実施権が設定される。実施権が設定された後に、落札者は、出品者が保持する特許権についての特許発明を実施することが可能となる。
【００８５】
｛３．６．落札処理（ステップＳ６）｝
次に、出品者が、専用実施権を入札条件として提示した入札者Ａを落札者として決定したケースを説明する。この場合、ステップＳ５に代えて、ステップＳ６（図１１参照）の処理が実行される。
【００８６】
出品者は、実施権をオークションに出す時に、出品登録ページ４１（図３参照）において、再許諾を認めるか否かを設定している。上述したように、再許諾とは、専用実施権についての通常実施権を許諾することである。出品者が再許諾を認めている場合、落札者（入札者Ａ）は、通常実施権を入札条件として提示した入札者Ｂ，Ｃに対して、落札した専用実施権についての通常実施権を許諾することができる。
【００８７】
図１１は、再許諾の流れを示すシーケンス図である。専用実施権を入札条件として提示した入札者Ａが落札者として決定された場合、ステップＳ６が実行される。
【００８８】
出品者は、オークションＩＤ「ＬＡ２４２Ｃ」に対応する実施権を入札者Ａに落札させることを決定する。出品者端末２は、入札者Ａを落札者として決定したことを示す落札者決定通知をオークション管理サーバ１に通知する（ステップＳ６１）。入札者Ａが専用実施権を入札条件として提示している。図４に示すように、オークションＩＤ「ＬＡ２４２Ｃ」に対応する実施権については、再許諾が認められている。このため、落札結果通知部１４は、再許諾設定ページ４４を入札者Ａの入札者端末３に送信する（ステップＳ６２）。
【００８９】
図１２は、再許諾設定ページ４４を示す図である。落札結果表示欄４４ａは、入札者Ａが専用実施権を落札できたことを示すメッセージと、通常実施権を許諾するか否かを決定することを促すメッセージとを表示する。
【００９０】
入札リスト表示欄４４ｂは、入札者Ａが通常実施権を許諾することができる入札者Ｂ，Ｃの入札条件を表示する。入札者Ａは、出品者と同様に、入札者Ｂ，Ｃのライセンス料のシミュレーションを行うことができる。シミュレーション結果は、シミュレーション結果欄４４ｃに表示される。
【００９１】
入札者Ａは、入札者Ｂに対して通常実施権を許諾する場合、再許諾設定欄４４ｄの入札者Ｂに対応するチェックボックスにチェックを入れ、再許諾ボタン４４ｅをクリックする。入札者Ｂに対して通常実施権を許諾することを示す再許諾通知が、入札者Ａの入札者端末３から、オークション管理サーバ１に送信される（ステップＳ６３）。落札結果通知部１４は、再許諾通知を出品者端末２に転送する（ステップＳ６４）。これにより、出品者は、入札者Ａが入札者Ｂに対して通常実施権を再許諾したことを知ることができる。
【００９２】
落札結果通知部１４は、再許諾通知に基づいて、実施権を落札できたことを示す落札結果通知を、入札者Ｂの入札者端末３に送信する（ステップＳ６５）。図１１には示していないが、入札者Ｃの入札者端末３には、実施権を落札できなかったことを示す落札結果通知が送信される。入札者Ａが入札者Ｂに対して通常実施権を再許諾することにより、入札者Ａは、ライセンス料を入札者Ｂから得ることができる。
【００９３】
入札者Ａは、入札者Ｂ，Ｃのいずれにも通常実施権を許諾しない場合、再許諾設定欄４４ｄのチェックボックスにチェックを入れずに、キャンセルボタン４４ｆをクリックする。再許諾をしないことを示す再許諾通知が、入札者Ａの入札者端末３からオークション管理サーバ１に通知される（ステップＳ６３）。落札結果通知部１４は、再許諾通知を出品者端末２に転送する（ステップＳ６４）。これにより、出品者は、入札者Ａが再許諾を行わなかったことを確認することができる。落札結果通知部１４は、再許諾通知に基づいて、実施権を落札することができなかったことを示す落札結果通知を、入札者Ｂ，Ｃの入札者端末３に送信する（ステップＳ６５）。
【００９４】
このように、本実施の形態では、入札者Ａが専用実施権についての通常実施権を入札者Ｂ，Ｃに対して許諾する機会を設けている。これにより、入札者Ａは、通常実施権を再許諾することにより、経済的なメリットを得ることができる。
【００９５】
本実施の形態では、特許権の実施権をオークションにかけるオークションシステム１００を説明した。オークション管理サーバ１は、特許権の譲渡を目的にした通常のオークションと、特許権についての実施権の設定を目的とした実施権のオークションとの両者に対応してもよい。この場合、出品者は、通常のオークションと実施権のオークションのどちらのオークションを行うかを指定する。これにより、出品者の希望に応じたオークションを行うことが可能となる。
【符号の説明】
【００９６】
１  オークション管理サーバ
２  出品者端末
３  入札者端末
１１  制御部
１２  データベース
１３  入札受付部
１４  落札結果通知部
１５  シミュレーション部
１６  判定部
１００  オークションシステム
１２１  登録者ＤＢ
１２２  特許権ＤＢ
１２３  オークションＤＢ
１２４  入札条件ＤＢ
【図１】
2011186931.tif 000003
【図２】
2011186931.tif 000004
【図３】
2011186931.tif 000005
【図４】
2011186931.tif 000006
【図５】
2011186931.tif 000007
【図６】
2011186931.tif 000008
【図７】
2011186931.tif 000009
【図８】
2011186931.tif 000010
【図９】
2011186931.tif 000011
【図１０】
2011186931.tif 000012
【図１１】
2011186931.tif 000013
【図１２】
2011186931.tif 000014